(57)【要約】【課題】    縦樋を利用した建築物への泥棒や空き巣の侵入を防止するため、簡単な構成で設置自由度が高く且つ安全・確実な縦樋用防犯具を提供する。【解決手段】  縦樋３０を内包するように独立回転可能に複数のリング体１１０重ねて設置することによって、侵入者が縦樋３０に手や足を掛けた場合、当該リング体１１０が自由に回転する。これにより侵入者の昇降しようとする力（腕力や脚力）が縦樋側に上手く伝わり難くなり、侵入者の昇降作業を妨げる。【選択図】図１
2011196043.tif 000002
【特許請求の範囲】
【請求項１】
建築物の側面に設置される縦樋に取り付けるための防犯具であって、
前記縦樋を内包するように独立回転可能に重ねられた複数のリング体を備える
ことを特徴とする縦樋用防犯具。
【請求項２】
請求項１において、
前記リング体の内周面に、摩擦低減処理が施されている
ことを特徴とする縦樋用防犯具。
【請求項３】
請求項１において、
前記リング体の内周面に、摩擦低減機構として複数のローラが設けられている
事を特徴とする縦樋用防犯具。
【請求項４】
請求項１〜３のいずれかにおいて、
前記リング体の端面に、摩擦低減処理が施されている
ことを特徴とする縦樋用防犯具。
【請求項５】
請求項１〜４のいずれかにおいて、
前記リング体の外周面に、摩擦低減処理が施されている
ことを特徴とする縦樋用防犯具。
【請求項６】
請求項１〜５のいずれかにおいて、
前記リング体の単体の高さが、１５ｃｍ以下に設定されている
ことを特徴とする縦樋用防犯具。
【請求項７】
請求項１〜６のいずれかにおいて、
前記リング体が、前記縦樋よりも大径の縦樋を切断したものである
ことを特徴とする縦樋用防犯具。
【請求項８】
請求項１〜７に記載のいずれかの縦樋用防犯具が備わる縦樋。
【請求項９】
請求項１〜７に記載のいずれかの縦樋用防犯具を縦樋に取り付けるためのアダプタであって、
前記縦樋に固定可能な固定部と、
該固定部上に設けられ、前記リング体を載置可能な円盤部と、を備える
ことを特徴とする防犯具用取付アダプタ。
【請求項１０】
建築物の側面に設置される縦樋に防犯性能を付加するための縦樋用防犯具の設置方法であって、
前記縦樋を内包するように複数のリング体を重ねて挿通させた後、前記建築物に組み付ける
ことを特徴とする縦樋用防犯具の設置方法。
【請求項１１】
建築物の側面に設置される縦樋に防犯性能を付加するための縦樋用防犯具の設置方法であって、
既に前記建築物に設置されている縦樋の一部を切断し、
当該切断部を利用して、前記縦樋を内包するように複数のリング体を重ねて挿通させ、
前記切断部を継パイプで繋ぐ
ことを特徴とする縦樋用防犯具の設置方法。
【発明の詳細な説明】
【技術分野】
【０００１】
本発明は、防犯具の技術分野に関し、更に詳しくは建築物への侵入を防止するために縦樋に取り付ける防犯具に関する。
【背景技術】
【０００２】
近年、防犯意識の高まりと共に、様々な防犯対策がなされている。例えば玄関扉等への複数鍵の設置、サムターン回し防止具の設置、防犯カメラの設置、ガラスへの衝撃吸収フィルムの貼付などである。このような防犯対策は設置コストとの関係もあり主に建築物の１階フロアに施されるに留まり、２階フロア以上には設置されていないことも多い。
【０００３】
侵入者もこれらの事実をよく承知しており、１階フロアから侵入せず敢えて２階以上のフロアから侵入がなされる場合も多い。このとき２階以上のフロアへのアクセス手段として、縦樋が多く利用されている。縦樋とは、建築物の屋根等の上層に溜まった雨水等を下水道へと導くために建築物の壁面に設置されている「パイプ」のことであり、人一人が昇降する手段としては強度的にも十分である。この縦樋からの侵入を完全に防止するには、例えば、縦樋を建築物の壁面外側に設置するのではなく、建築物の壁内構造として設置すれば万全である。しかしながらこのような設置では設置コストも高く、また、メンテナンス作業が煩雑となり現実的ではない。
【０００４】
一方で、こういった問題点を解決するべく、従来から様々な発明がされている。例えば特許文献１においては、縦樋を壁面から支持する金具に鋭利な突起物（忍び返し）を設け、縦樋からの侵入を防止しようとするものである。
【０００５】
また特許文献２においては、縦樋に荷重が掛かると落下する機構を設け、縦樋からの侵入を防止しようとするものである。
【０００６】
また特許文献３においては、縦樋全体を「断面がＵ字型のカバー」で覆うことで、縦樋からの侵入を防止しようとするものである。
【０００７】
また特許文献４においては、縦樋に掛かった圧力を検知する検知手段を設け、圧力が検知された場合に警報手段により警報が発せられるというものである。
【先行技術文献】
【特許文献】
【０００８】
【特許文献１】特開２００５−２９９３２７号公報
【特許文献２】特開２００８−１１５６６４号公報
【特許文献３】特開２００５−２６７１５４号公報
【特許文献４】特開２００５−２１５７９８号公報
【発明の概要】
【発明が解決しようとする課題】
【０００９】
しかしながら、上記特許文献に記載されている発明では以下のような問題点があった。例えば特許文献１に記載の発明の場合、鋭利な突起物（忍び返し）により侵入者以外（例えば子供など）が怪我をする危険性がある。
【００１０】
また特許文献２に記載の発明の場合、荷重が掛かって一旦落下してしまうと縦樋としての機能を果たさなくなる恐れがある。
【００１１】
また特許文献３に記載の発明の場合、設置作業が煩雑であり、メンテナンスも行い難くなるといった問題がある。
【００１２】
また特許文献４に記載の発明の場合、電力が要求される事に加え、発せられた警報に気がつかない場合など、侵入自体を防止できる効果が発揮されるものではないといった問題がある。
【００１３】
本発明はこのような問題点を解決するべくなされたものであって、簡単な構成で設置自由度が高く且つ安全・確実な防犯具を提供することをその目的としている。
【課題を解決するための手段】
【００１４】
上記課題を解決するべく、請求項１に記載の発明は、建築物の側面に設置される縦樋に取り付けるための防犯具であって、前記縦樋を内包するように独立回転可能に重ねられた複数のリング体を備えることを特徴としている。このような複数のリング体を重ねて配置することによって、侵入者が縦樋を使って昇降するために手や足を掛けた場合でも、当該リング体がクルクルと回転し、侵入者の昇降作業を妨げるのである。即ち、昇降するための腕力や脚力が縦樋に伝わるのを逃がして昇降自体を行えないように（若しくは行い難く）するのである。なおここで「リング体」には所謂「Ｏリング」のような完全に全周囲が繋がったものが含まれることは当然として、その他にも「Ｃリング」のものも含まれる概念である。
【００１５】
また請求項２に記載の発明は、請求項１の発明に加えて、前記リング体の内周面に、摩擦低減処理が施されていることを特徴とする縦樋用防犯具である。このような処理を施すことによって、リング体（の内周面）と縦樋（の外周面）との間に生じ得る摩擦が低減し、当該リング体がより回転し易くなる。
【００１６】
また請求項３に記載の発明は、請求項１の発明に加えて、前記リング体の内周面に、摩擦低減機構として複数のローラが設けられていることを特徴とする縦樋用防犯具である。このような機構を設けることによって、リング体（の内周面）と縦樋（の外周面）との間に生じ得る摩擦が低減し、当該リング体がより回転し易くなる。
【００１７】
また請求項４に記載の発明は、請求項１〜３の発明に加えて、前記リング体の端面に、摩擦低減処理が施されていることを特徴とする縦樋用防犯具である。このような処理を施すことによって、重ねられたリング体同士の間に生じ得る摩擦が低減し、当該リング体がより回転し易くなる。
【００１８】
また請求項５に記載の発明は、請求項１〜４の発明に加えて、前記リング体の外周面に、摩擦低減処理が施されていることを特徴とする縦樋用防犯具である。このような処理を施すことによって、リング体（の外周面）と侵入者（の手足）との間に生じ得る摩擦が低減し、当該リング体に手や足を掛け難くなる。
【００１９】
また請求項６に記載の発明は、請求項１〜５の発明に加えて、前記リング体の単体の高さが、１５ｃｍ以下に設定されていることを特徴としている。この「１５ｃｍ」という高さは、一般的な大人が「両方の手を単一のリング体に掛けられない」サイズである。即ち、このような高さのサイズとしておくことによって、侵入者の「右手で握るリング体」と「左手で握るリング体」とが必然的に「異なるリング体」となり、リング体の回転が阻害（右手と左手で同じリング体を握ると回転しようとする方向が異なるため回転力が相殺され、結果として回転が阻害される。）されない。
【００２０】
また請求項７に記載の発明は、請求項１〜６の発明に加えて、前記リング体が、前記縦樋よりも大径の縦樋を切断したものであることを特徴としている。即ち、別途特別な材料を用意することなく、径の異なる縦樋を利用して防犯具を構成することが可能となっている。
【００２１】
また請求項８に記載の発明は、請求項１〜７の発明を異なる観点から捉えたものであって、請求項１〜７に記載のいずれかの縦樋用防犯具が備わる縦樋としての発明である。
【００２２】
また請求項９に記載の発明は、請求項１〜７に記載のいずれかの縦樋用防犯具を縦樋に取り付けるためのアダプタであって、前記縦樋に固定可能な固定部と、該固定部上に設けられ、前記リング体を載置可能な円盤部と、を備えることを特徴とする防犯具用取付アダプタである。このアダプタを取り付けておくことによって、リング体を回転し易い状態で縦樋に取り付けることができる。
【００２３】
また請求項１０に記載の発明は、請求項１〜８の発明を異なる観点から捉えたものであって、建築物の側面に設置される縦樋に防犯性能を付加するための縦樋用防犯具の設置方法であって、前記縦樋を内包するように複数のリング体を重ねて挿通させた後、前記建築物に組み付けることを特徴とする縦樋用防犯具の設置方法である。また請求項１１に記載の発明も、請求項１〜８の発明を異なる観点から捉えたものであって、建築物の側面に設置される縦樋に防犯性能を付加するための縦樋用防犯具の設置方法であって、既に前記建築物に設置されている縦樋の一部を切断し、当該切断部を利用して、前記縦樋を内包するように複数のリング体を重ねて挿通させ、前記切断部を継パイプで繋ぐことを特徴とする縦樋用防犯具の設置方法である。要するに、縦樋を新設する場合に当該防犯具を取り付けることも、また、既に設置されている縦樋に対して追加的に取り付ける場合も簡単な作業での設置が可能となっている。
【発明の効果】
【００２４】
本発明を適用することで、縦樋を利用した侵入を効果的に防止できる。また構造が簡単であるため低コスト且つ設置も容易である。
【図面の簡単な説明】
【００２５】
【図１】本発明にかかる防犯具が設置された縦樋の全体図である。
【図２】図１における矢示ＩＩ部周辺拡大図である。
【図３】図１における矢示ＩＩ部周辺拡大分解図である。
【図４】防犯具の第２の実施例を示した斜視図である。
【図５】図４の防犯具を縦樋に設置した状態の断面図である。
【図６】図４の矢示ＶＩ−ＶＩ線に沿う断面図である。
【発明を実施するための形態】
【００２６】
以下、添付図面を参照しつつ、本願発明の実施形態の一例としての防犯具１００について詳細に説明を加える。
【００２７】
〈防犯具の構成〉
防犯具１００は、複数のリング体１１０と取付アダプタ１２０とで構成されている。リング体１１０は、縦樋３０の外径Ｄよりも大きな内径ｄを有し、縦樋３０を内包するように複数重ね合わされ積み上げられて構成される。個々のリング体１１０は単に重ねて配置されているのみであり、お互いが独立して回転可能とされている。また、当該リング体１１０の単体の高Ｈは本実施形態では約１０ｃｍとされている。
【００２８】
リング体１１０は、様々な材質で構成することが可能であるが、本実施形態においては塩化ビニール製の管で構成されている。またこのリング体１１０は、本来縦樋として利用できる管を所定の長さ（高さ）に切断・加工して作られている。
【００２９】
また、各リング体１１０の内周面１１０ａ及び上下の端面１１０ｂにはフッ素コーティング処理（摩擦低減処理）が施されている。もちろんフッ素コーティング以外であっても摺動摩擦を低減できる限りにおいて種々の表面処理を採用してもよい。
【００３０】
また、各リング体１１０の外周面１１０ｃにもフッ素コーティング処理（摩擦低減処理）が施されている。もちろんフッ素コーティング以外であっても摩擦を低減できる限りにおいて種々の表面処理を採用してもよい。
【００３１】
また、リング体１１０は、縦樋３０に取り付けられた取付アダプタ１２０の上に載置されている。この取付アダプタ１２０は、円筒形状の固定部１２２と、この固定部１２２に一体的に形成された円盤部（フランジ部）１２４と、固定部１２２を外側から締結可能な締結バンド１２８を有した構成とされている。円盤部１２４の直径は、リング体１１０の直径よりも大きく構成されており、リング体１１０を載置することが可能な構成とされている。また当該円盤部１２４の表面（上面）にもフッ素コーティング処理（摩擦低減処理）が施されており、載置したリング体１１０がスムーズに回転可能に構成されている。
【００３２】
〈防犯具の設置方法〉
次に、防犯具１００の縦樋への設置方法について説明する。防犯具１００は縦樋３０を新設する場合にも、また、既に設置されている縦樋３０に対して追加的に設置する場合にも両方に対応することができる。
【００３３】
縦樋３０を新設する場合には、縦樋３０に取付アダプタ１２０を固定し、更に複数のリング体１１０を挿通させた上で、取付金具４０により建築物１０の壁面に固定すればよい。
【００３４】
一方、既に設置されている縦樋３０に対して追加的に施工する場合には、例えば、縦樋３０の一部をリング体１１０の高さＨ以上の幅で切断し、当該切断部からリング体１１０を挿通させる。その後、当該切断部を継パイプで繋ぐことで設置が完了する。
【００３５】
なお、リング体１１０の設置にあたっては、縦樋３０全体に渡って施工してもよいし、部分的に（例えば地上１．５ｍ〜３．０ｍの範囲のみ等）施工してもよい。建築物自体の構造や隣接建築物の有無などを考慮して必要な部分のみ施工が可能である。これは本発明に係る防犯具１００がリング体１１０を重ねるように設置して機能する構成とされているため、その重ね合わせる数を状況に応じて増減することのみで施工範囲を簡単に調整できる（本発明特有のメリット）。更に事後的に施工範囲を増減する場合においても、リング体１１０を追加したり、一部取り除くことで足り、設置自由度が高い。
【００３６】
〈防犯具の作用・機能〉
防犯具１００は次のような作用を発揮する。泥棒や空き巣等の侵入者が縦樋３０に手や足を掛けようとする場合、縦樋３０には複数のリング体１１０が取り付けられているので、侵入者は不可避的に当該リング体１１０を握ったり、リング体１１０に足を掛けたりすることになる。これらリング体１１０は縦樋３０に対して回転可能であるため、リング体１１０に力を加えると同時に、（その力の掛け具合に応じて）左右いずれかの方向に回転する。これにより侵入者は自分の力（腕力や脚力）を上手く縦樋３０側に伝えることができず、落下したり、昇るのに時間を要してしまう。要するに、設置されたリング体１１０がクルクルと左右に回転するので、侵入者は縦樋３０を伝って上階へとアクセスすることができなくなる。
【００３７】
また、本実施形態のリング体１１０は、単体の高さＨが１０ｃｍとされているので、左右の手は不可避的にそれぞれ別のリング体１１０を握ることになる。そうすると、右手で握ったリング体１１０は右回転しようとし、一方、左手で握ったリング体１１０は左回転しようとするので、侵入者は非常に力を入れ難くなり、結果として侵入を阻止できる。
【００３８】
〈第２の実施形態〉
また、図５及び図６に示しているように、リング体２１０の内周面に摩擦低減機構としてのローラ機構２１１を設けるような構成を採用することもできる。このローラ機構２１１は、リング体２１０の内周面２１０ａに「コ字状」に設けられたローラ回転軸２１４と、当該ローラ回転軸２１４に軸支されるローラ２１２で構成される。またこのローラ機構２１１は、円筒体２１０の内周面２１０ａに合計１２コ設置されている。
【００３９】
このようなローラ機構２１１を設けることで、より積極的に縦樋３０に対する回転を促し、手や足が掛け難くなるという効果が発揮される。
【００４０】
〈その他の実施形態〉
上記では、リング体が所謂「Ｏリング」形状の一体物として構成されていた。しかしながら、例えば優れた可撓性を有する素材で構成したような場合であれば、リング体を「Ｃリング」形状として構成し、切れ目部分を開いて縦樋に装着するような構成を採用してもよい。このような構成とすれば、特に、既に設置されている縦樋に追加的に設置する作業が容易となる。
【００４１】
更に、半円筒形状のパーツを接着することによりリング体を構成してもよい。このような構成とした場合も、特に、既に設置されている縦樋に追加的に設置する作業が容易となる。
【００４２】
また上記のリング体は全て外形が「丸い」形状のものであった。しかしながらこれに限定されず、場合により六角形状や八角形状、更にはそれ以上の多角形状であってもよい。
【００４３】
また上記では、リング体１１０を載置するために取付アダプタ１２０を設置していたが、場合により省略して構成してもよい。具体的には、複数のリング体１１０を縦樋３０に通すのみでも略同様の効果を発揮させることができる。また、最下部に位置するリング体のみを縦樋に接着固定することで、取付アダプタの代用品として利用することも可能である。
【００４４】
また上記では、上下方向に沿って設置されている縦樋３０に取り付けられていたが、左右方向及び斜め方向に沿って設置されている縦樋に対しても同様に施工することが可能であり、空き巣等の侵入を防止するという観点から同様の効果を発揮させることができる。
【００４５】
また上記では、丸い縦樋３０を前提として説明しているが、丸形以外の縦樋に対しても同様に施工することができる。具体的には、縦樋の最大外径よりもリング体の内径が大きく回転可能である限り、同様の効果を発揮することが可能である。
【符号の説明】
【００４６】
１０…建築物
２０…雨樋
３０…縦樋
４０…支持金具
１００…防犯具
１１０、２１０…リング体
１１０ａ、２１０ａ…内周面
１１０ｂ…端面
１１０ｃ…外周面
１２０…取付アダプタ
１２２…固定部
１２４…円盤部
１２６…貫通孔
１２８…締結バンド
２１１…ローラ機構
２１２…ローラ
２１４…ローラ支持軸
【図１】
2011196043.tif 000003
【図２】
2011196043.tif 000004
【図３】
2011196043.tif 000005
【図４】
2011196043.tif 000006
【図５】
2011196043.tif 000007
【図６】
2011196043.tif 000008